(57)【要約】【課題】複数の録画予約番組に対して、よりユーザーの詳細な好みに即して、番組を録画する番組録画装置を提供する。【解決手段】本発明に係る番組録画装置１は、ユーザーによる任意の複数のキーワードの設定を受け付けるキーワード設定手段（録画・予約制御部１８）と、上記キーワードごとに、ユーザーによる優先度の設定を受け付ける優先度設定手段（録画・予約制御部１８）と、上記番組ごとの番組情報と上記各キーワードとを照合することによって、録画対象の番組を複数選択する録画番組選択手段（録画・予約制御部１８）と、上記選択された番組ごとに、上記各キーワードの優先度に基づき録画の優先順位を決定する優先順位決定手段（録画・予約制御部１８）と、上記選択された各番組を当該番組の優先順位に基づき録画する番組録画手段（録画部２０）と、を備えている。【選択図】図１
2010206305.tif 000002
【特許請求の範囲】
【請求項１】
複数の番組の中から所望の番組を選択して録画する番組録画装置において、
ユーザーによる任意の複数のキーワードの設定を受け付けるキーワード設定手段と、
上記キーワードごとに、ユーザーによる優先度の設定を受け付ける優先度設定手段と、
上記番組ごとの番組情報と上記各キーワードとを照合することによって、録画対象の番組を複数選択する録画番組選択手段と、
上記選択された番組ごとに、上記各キーワードの優先度に基づき録画の優先順位を決定する優先順位決定手段と、
上記選択された各番組を当該番組の優先順位に基づき録画する番組録画手段と、を備えていることを特徴とする番組録画装置。
【請求項２】
上記キーワード設定手段は、上記複数のキーワードの集まりであるキーワード群の設定を複数受け付け、
上記優先度設定手段は、上記キーワード群ごとに、ユーザーによる優先度の設定を受け付け、
上記優先順位決定手段は、上記選択された番組ごとに、上記各キーワードの優先度と上記キーワード群の優先度とに基づき録画の優先順位を決定することを特徴とする請求項１に記載の番組録画装置。
【請求項３】
上記キーワード群各々に含まれるキーワードに設定される優先度の和は常に一定であることを特徴とする請求項２に記載の番組録画装置。
【請求項４】
上記キーワード各々に設定可能な優先度は、１〜１００の範囲であることを特徴とする請求項１から３のいずれか１項に記載の番組録画装置。
【請求項５】
上記キーワード群各々に設定可能な優先度は、１〜１００の範囲であることを特徴とする、請求項２から４のいずれか１項に記載の番組録画装置。
【請求項６】
上記キーワード群各々に、１つまたは複数の録画画質の設定を受け付ける録画画質設定手段をさらに備えていることを特徴とする請求項２から５のいずれか１項に記載の番組録画装置。
【請求項７】
上記録画画質設定手段は、上記録画対象の番組の優先順位を決定する番組の優先度に応じて上記録画画質を設定できることを特徴とする請求項６に記載の番組録画装置。
【請求項８】
上記番組録画手段は、上記録画対象の番組にヒットした上記キーワードを含む上記キーワード群に設定された録画画質により上記録画対象の番組を録画することを特徴とする請求項６または７に記載の番組録画装置。
【請求項９】
上記キーワード群ごとの優先度と該検索キーワード群に設定されている画質とを、グラフ形式で表示する表示手段をさらに備えていることを特徴とする請求項６から８のいずれか１項に記載の番組録画装置。
【請求項１０】
上記キーワード群の優先度または該検索キーワード群に設定されている画質の変更が行われた際に、上記キーワード群の優先度と設定されている画質とを、ユーザーの操作に従って更新する更新手段をさらに備えていることを特徴とする請求項９に記載の番組録画装置。
【請求項１１】
上記録画番組選択手段は、１つのキーワード群に複数のキーワードが設定されている場合に、該キーワード群に含まれるキーワードの複数にヒットした番組のみを選択することを特徴とする請求項２から１０のいずれか１項に記載の番組録画装置。
【請求項１２】
上記録画番組選択手段は、１つのキーワード群に複数のキーワードが設定されている場合に、該キーワードのうちの最も優先度の低い１つのキーワードのみにしかヒットしない番組は選択しないことを特徴とする請求項２から１０のいずれか１項に記載の番組録画装置。
【請求項１３】
上記録画番組選択手段は、１つのキーワード群に複数のキーワードが設定されている場合に、該キーワード群に含まれるキーワードの複数にヒットした番組および該キーワード群に設定されているキーワードのうち最も優先度の高いキーワード１つのみにヒットした番組を選択することを特徴とする請求項２から１０のいずれか１項に記載の番組録画装置。
【請求項１４】
複数の番組の中から所望の番組を選択して録画する方法であって、
ユーザーによる任意の複数のキーワードの設定を受け付けるステップと、
上記キーワードごとに、ユーザーによる優先度の設定を受け付けるステップと、
上記番組ごとの番組情報と上記各キーワードとを照合することによって、録画対象の番組を複数選択するステップと、
上記選択された番組ごとに、上記各キーワードの優先度に基づき録画の優先順位を決定するステップと、
上記選択された各番組を当該番組の優先順位に基づき録画するステップと、を備えていることを特徴とする記録番組録画方法。
【請求項１５】
請求項１から１３のいずれか１項に記載の番組録画装置を動作させるプログラムであって、コンピュータを上記の各手段として機能させるためのプログラム。
【請求項１６】
請求項１５に記載のプログラムを記録しているコンピュータ読み取り可能な記録媒体。
【発明の詳細な説明】
【技術分野】
【０００１】
本発明は、放送番組に関する番組情報を用いて放送予定の放送番組の中から録画番組を選択する番組録画装置、記録番組録画方法、プログラム、および、記録媒体に関するものである。
【背景技術】
【０００２】
近年、テレビ放送においては、地上波のデジタル放送の他、通信衛星（ＣＳ）や放送衛星（ＢＳ）を介してデジタル信号を伝送するデジタル放送技術が普及している。デジタル放送は、チャンネル数および番組数が極めて多い。また、デジタル放送においては、各々のチャンネルに対応する画像データおよび音声データ等と共に、放送する番組のジャンルおよび放送時間などに関する電子番組ガイド（ＥＰＧ）や文字放送等の情報も送信される。このＥＰＧ等を利用して、ユーザの好みの番組を検索し録画する装置が普及している。
【０００３】
特許文献１には、ＥＰＧ情報における番組の属性である第一の項目（番組のジャンル、放送時間、および料金など）に優先順位を設定でき、かつ、第一の項目に含まれる第二の項目（例えば、第一の項目がジャンルであれば、サッカー、野球、およびモータースポーツなど）に対しても優先順位を設定でき、ＥＰＧから取得した個々の番組情報に対して当てはまる第一の項目および第二の項目を乗算した値をその番組の優先度として、この優先度に基づいてユーザの好みに近い番組を選択するデジタル放送受信装置が開示されている。
【０００４】
また、特許文献２、３、および４には、過去に録画した番組のタイトル、チャンネル、放送時間帯およびジャンル等に基づいて、ＥＰＧ情報から推奨する番組を選択する推奨番組選択装置が開示されている。
【０００５】
また、非特許文献１のように、ユーザーが任意のキーワードを設定することにより、該キーワードの関連番組を録画する装置も普及している。
【先行技術文献】
【特許文献】
【０００６】
【特許文献１】特開２００２−１１２１３２号公報（公開日：２００２年  ４月１２日）
【特許文献２】国際公開ＷＯ２００５／１０１８１７号公報（公開日：２００５年１０月２７日）（特許第３８２１１６６号公報）
【特許文献３】特開２００６−２２９９３９号公報（公開日：２００６年  ８月３１日）
【特許文献４】特開２００６−２２９９４９号公報（公開日：２００６年  ８月３１日）
【非特許文献】
【０００７】
【非特許文献１】ソニーマーケティング株式会社、“新商品”特長、〔ｏｎｌｉｎｅ〕、〔平成２１年１月２９日検索〕、インターネット<ＵＲＬ:http://www.sony.jp/CorporateCruise/Press/200511/05-1107/>
【発明の概要】
【発明が解決しようとする課題】
【０００８】
しかしながら、特許文献１に記載のデジタル放送受信装置においては、優先度を設定するために用いられる第一の項目および第二の項目が、ＥＰＧ情報における番組の属性であるため、ユーザーは固有の俳優の名前および放送時間が分からない番組のタイトルなどといった任意の項目を設定できない。このため、ユーザーが好みの番組を選択することに制限が生じる。
【０００９】
また、特許文献２に記載の推奨番組選択装置においては、過去に録画した番組に基づいて番組を選択するため、装置がユーザーの好みに対応して番組を選択するようになるまで、多数の録画予約を手動で行う必要がある。また、キーワードは装置の言語解析による処理のため、新しくデビューした俳優の名前など新規の名称に対して、手動録画予約することによる装置の学習期間を必要とする。また、ユーザーは任意のキーワードを設定できない。このため、ユーザーが好みの番組を選択することに制限が生じる。
【００１０】
また、非特許文献１のように、ユーザーが任意のキーワードを設定することにより、関連番組を録画する装置においては、キーワードにより検索した複数の番組に対して優先順位を設定して録画することができない。
【００１１】
本発明は上記の問題に鑑みてなされたものであり、その目的は、複数の録画予約番組に対して、よりユーザーの詳細な好みに即した優先順位に基づいて録画する番組録画装置を提供することにある。
【課題を解決するための手段】
【００１２】
上記課題を解決するために、本発明に係る番組録画装置は、複数の番組の中から所望の番組を選択して録画する番組録画装置において、ユーザーによる任意の複数のキーワードの設定を受け付けるキーワード設定手段と、上記キーワードごとに、ユーザーによる優先度の設定を受け付ける優先度設定手段と、上記番組ごとの番組情報と上記各キーワードとを照合することによって、録画対象の番組を複数選択する録画番組選択手段と、上記選択された番組ごとに、上記各キーワードの優先度に基づき録画の優先順位を決定する優先順位決定手段と、上記選択された各番組を当該番組の優先順位に基づき録画する番組録画手段と、を備えていることを特徴としている。
【００１３】
上記の構成によれば、ユーザーは任意のキーワードを設定でき、かつ、上記キーワードごとに優先度を設定することができる。キーワードを任意に設定できるため、ユーザーは新人の俳優などといった新規の名称、およびユーザーの好みにダイレクトに即した用語を設定することができる。また、上記キーワードごとに、録画する複数の番組の優先順位を決定する優先度を設定できる。したがって、番組録画装置は、上記録画対象となる複数の番組を、よりユーザーの詳細な好みに即した優先順位に基づいて録画することができるという効果を奏する。
【００１４】
上記課題を解決するために、本発明に係る記録番組録画方法は、複数の番組の中から所望の番組を選択して録画する方法であって、ユーザーによる任意の複数のキーワードの設定を受け付けるステップと、上記キーワードごとに、ユーザーによる優先度の設定を受け付けるステップと、上記番組ごとの番組情報と上記各キーワードとを照合することによって、録画対象の番組を複数選択するステップと、上記選択された番組ごとに、上記各キーワードの優先度に基づき録画の優先順位を決定するステップと、上記選択された各番組を当該番組の優先順位に基づき録画するステップと、を含んでいることを特徴としている。
【００１５】
上記の構成によれば、本発明に係る番組録画装置と同様の作用効果を奏する。
【００１６】
本発明に係る番組録画装置において、上記キーワード設定手段は、上記複数のキーワードの集まりであるキーワード群の設定を複数受け付け、上記優先度設定手段は、上記キーワード群ごとに、ユーザーによる優先度の設定を受け付け、上記優先順位決定手段は、上記選択された番組ごとに、上記各キーワードの優先度と上記キーワード群の優先度とに基づき録画の優先順位を決定することが好ましい。
【００１７】
上記の構成によれば、ユーザーは、上記複数のキーワードの集まりであるキーワード群ごとに優先度を設定することができる。これにより、番組録画装置は、上記キーワードの優先度だけでなく、上記キーワード群の優先度にも基づいて録画する番組の優先順位を決定するため、よりユーザーの詳細な好みに即して優先順位を決定し、録画することができるという更なる効果を奏する。
【００１８】
本発明に係る番組録画装置において、上記キーワード群各々に含まれるキーワードに設定される優先度の和は常に一定であることが好ましい。
【００１９】
上記の構成によれば、上記キーワード群各々に含まれる上記キーワードに設定される優先度の和は常に一定であるため、ユーザーは上記キーワード各々の優先度に対する重要度を容易に把握することができるという更なる効果を奏する。
【００２０】
本発明に係る番組録画装置において、上記キーワード各々に設定可能な優先度は、１〜１００の範囲であることが好ましい。
【００２１】
上記の構成によれば、ユーザーは、上記キーワード各々の優先度を相対的に設定できるという更なる効果を奏する。
【００２２】
本発明に係る番組録画装置において、上記キーワード群各々に設定可能な優先度は、１〜１００の範囲であることが好ましい。
【００２３】
上記の構成によれば、ユーザーは、上記キーワード群各々の優先度を相対的に設定できるという更なる効果を奏する。
【００２４】
本発明に係る番組録画装置は、上記キーワード群各々に、１つまたは複数の録画画質の設定を受け付ける録画画質設定手段をさらに備えていることが好ましい。
【００２５】
上記の構成によれば、番組録画装置は１つまたは複数の録画画質の設定を受け付ける録画画質設定手段を備えているため、ユーザーは録画する番組の画質を設定することができるという更なる効果を奏する。
【００２６】
本発明に係る番組録画装置において、上記録画画質設定手段は、上記録画対象の番組の優先順位を決定する番組の優先度に応じて上記録画画質を設定できることが好ましい。
【００２７】
上記の構成によれば、番組録画装置は、番組の優先度に即して該番組を録画する際の画質を決定する。したがって、番組各々に対するユーザーにとっての重要度に即した画質を設定できるという更なる効果を奏する。
【００２８】
本発明に係る番組録画装置において、上記番組録画手段は、上記録画対象の番組にヒットした上記キーワードを含む上記キーワード群に設定された録画画質により上記録画対象の番組を録画することが好ましい。
【００２９】
上記の構成によれば、番組録画装置は上記キーワード群に設定された録画画質に即して番組を録画する際の画質を決定する。したがって、録画する番組各々に適した画質により、該番組を録画できるという更なる効果を奏する。
【００３０】
本発明に係る番組録画装置は、上記キーワード群ごとの優先度と該検索キーワード群に設定されている画質とを、グラフ形式で表示する表示手段をさらに備えていることが好ましい。
【００３１】
上記の構成によれば、上記表示手段は、上記キーワード群ごとの優先度と該検索キーワード群に設定されている画質とをグラフ形式で表示する。これにより、ユーザーは、上記キーワード群ごとの優先度と設定されている画質とを一目で把握することができるという更なる効果を奏する。
【００３２】
本発明に係る番組録画装置は、上記キーワード群の優先度または該検索キーワード群に設定されている画質の変更が行われた際に、上記キーワード群の優先度と設定されている画質とを、ユーザーの操作に従って更新する更新手段をさらに備えていることが好ましい。
【００３３】
上記の構成によれば、上記キーワード群の優先度または該検索キーワード群に設定されている画質を、上記更新手段はユーザーの操作に従って更新する。これにより、ユーザーは、上記キーワード群の優先度または該検索キーワード群に設定されている画質を任意に変更することができるという更なる効果を奏する。
【００３４】
本発明に係る番組録画装置において、上記録画番組選択手段は、１つのキーワード群に複数のキーワードが設定されている場合に、該キーワード群に含まれるキーワードの複数にヒットした番組のみを選択することが好ましい。
【００３５】
上記の構成によれば、上記録画番組選択手段は、１つのキーワード群に複数のキーワードが設定されている場合に、該キーワード群に含まれるキーワード１つのみにヒットする番組は選択しない。これにより、キーワード１つのみにヒットする番組であるユーザーにとって比較的重要度が低い番組を選択しないことができる。すなわち、上記録画番組選択手段は、よりユーザーの詳細な好みに即して番組を選択することができるという更なる効果を奏する。
【００３６】
本発明に係る番組録画装置において、上記録画番組選択手段は、１つのキーワード群に複数のキーワードが設定されている場合に、該キーワードのうちの最も優先度の低い１つのキーワードのみにしかヒットしない番組は選択しないことが好ましい。
【００３７】
上記の構成によれば、上記録画番組選択手段は、１つのキーワード群に複数のキーワードが設定されている場合に、該キーワードのうちの最も優先度の低い１つのキーワードのみにしかヒットしない番組は選択しない。これにより、上記キーワードにヒットする番組のうちユーザーにとって最も重要度が低い番組を録画しない選択をすることができる。すなわち、上記録画番組選択手段は、よりユーザーの詳細な好みに即して番組を選択することができるという更なる効果を奏する。
【００３８】
本発明に係る番組録画装置において、上記録画番組選択手段は、１つのキーワード群に複数のキーワードが設定されている場合に、該キーワード群に含まれるキーワードの複数にヒットした番組および該キーワード群に設定されているキーワードのうち最も優先度の高いキーワード１つのみにヒットした番組を選択することが好ましい。
【００３９】
上記の構成によれば、上記録画番組選択手段は、１つのキーワード群に複数のキーワードが設定されている場合に、該キーワード群に含まれるキーワードの複数にヒットした番組および該キーワード群に設定されているキーワードのうち最も優先度の高いキーワード１つのみにヒットした番組を選択する。これにより、上記キーワード群に設定されている複数のキーワードのうちの１つのみにヒットする番組であって、ユーザーにとって比較的重要度が低い番組を選択しないことができる。すなわち、上記録画番組選択手段は、よりユーザーの詳細な好みに即して番組を選択することができるという更なる効果を奏する。
【００４０】
なお、上記番組録画装置は、コンピュータによって実現してもよい。この場合、コンピュータを上記各手段として動作させることにより上記番組録画装置をコンピュータにおいて実現するプログラム、およびそのプログラムを記録したコンピュータ読み取り可能な記録媒体も、本発明の範疇に入る。
【発明の効果】
【００４１】
本発明に係る番組録画装置は、以上のように、複数の番組の中から所望の番組を選択して録画する番組録画装置において、ユーザーによる任意の複数のキーワードの設定を受け付けるキーワード設定手段と、上記キーワードごとに、ユーザーによる優先度の設定を受け付ける優先度設定手段と、上記番組ごとの番組情報と上記各キーワードとを照合することによって、録画対象の番組を複数選択する録画番組選択手段と、上記選択された番組ごとに、上記各キーワードの優先度に基づき録画の優先順位を決定する優先順位決定手段と、上記選択された各番組を当該番組の優先順位に基づき録画する番組録画手段と、を備えている。このため、番組録画装置は、上記録画対象となる複数の番組を、よりユーザーの詳細な好みに即した優先順位に基づいて録画することができる。
【００４２】
また、本発明に係る記録番組録画方法は、以上のように、複数の番組の中から所望の番組を選択して録画する方法であって、ユーザーによる任意の複数のキーワードの設定を受け付けるステップと、上記キーワードごとに、ユーザーによる優先度の設定を受け付けるステップと、上記番組ごとの番組情報と上記各キーワードとを照合することによって、録画対象の番組を複数選択するステップと、上記選択された番組ごとに、上記各キーワードの優先度に基づき録画の優先順位を決定するステップと、上記選択された各番組を当該番組の優先順位に基づき録画するステップと、を含んでいる。このため、上記録画対象となる複数の番組を、よりユーザーの詳細な好みに即した優先順位に基づいて録画することができる。
【図面の簡単な説明】
【００４３】
【図１】図１は、本発明の実施形態を示すものであり、番組録画装置の構成を示すブロック図である。
【図２】図２は、本発明の実施形態を示すものであり、デジタル放送受信システムの構成を示す図である。
【図３】図３は、本発明の実施形態を示すものであり、キーワードテーブルを示す図である。
【図４】図４は、本発明の実施形態を示すものであり、キーワード組み合わせ別群優先度テーブルを示す図である。
【図５】図５は、本発明の実施形態を示すものであり、キーワード群優先度割合テーブルを示す図である。
【図６】図６は、本発明の実施形態を示すものであり、〔Ａｕｔｏ〕画質設定テーブルを示す図である。
【図７】図７は、本発明の実施形態を示すものであり、キーワード群ナンバー別録画優先度と設定画質を示す図である。
【図８】図８は、本発明の実施形態を示すものであり、録画予約リストを示す図である。
【図９】図９は、本発明の実施形態を示すものであり、ＥＰＧデータが更新された場合に行われる処理を示すフローチャートである。
【図１０】図１０は、本発明の実施形態を示すものであり、キーワード群を新規に登録した際の処理を示すフローチャートである。
【図１１】図１１は、本発明の実施形態を示すものであり、キーワード群を変更した際の処理を示すフローチャートである。
【図１２】図１２は、本発明の実施形態を示すものであり、既存の録画予約リストに新規に番組を追加する処理を示すフローチャートである。
【図１３】図１３は、本発明の実施形態を示すものであり、設定画質表示画面を示すグラフである。
【図１４】図１４は、本発明の実施形態を示すものであり、詳細設定画質表示画面を示すグラフである。
【図１５】図１５は、本発明の実施形態を示すものであり、詳細設定画質表示画面の他の例を示すグラフである。
【発明を実施するための形態】
【００４４】
本発明の一実施形態について図面に基づいて説明すれば以下のとおりである。
【００４５】
（番組録画装置１の構成）
まず、本実施形態に係る番組録画装置１の構成について、図１を参照して説明する。図１は、番組録画装置１の構成を示すブロック図である。番組録画装置１は、アンテナ２、チューナー部４、復調部６、信号分離部８、映像・音声処理部１０、データ処理部１２、出力部１４、番組情報制御部１６、録画・予約制御部１８、録画部２０、記録媒体２２、操作制御部２４、通信部２６、およびメモリ２８、を備えている。
【００４６】
チューナー部４は、ＢＳデジタル放送、ＣＳデジタル放送、地上波デジタル放送などの放送信号をアンテナ２を介して受信する。復調部６は、チューナー部４で受信した放送信号を復調し、多重化されたＴＳ（Ｔｒａｎｓｐｏｒｔ  Ｓｔｒｅａｍ）を取り出す。信号分離部８は、復調部６からのＴＳを映像（ＭＰＥＧ−２形式）、音声（ＭＰＥＧ−２  ＡＡＣ形式）、および番組情報に分離し、映像・音声のＴＳを映像・音声処理部１０に出力し、番組情報をデータ処理部１２に出力する。
【００４７】
テレビ視聴の場合、映像・音声処理部１０は、信号分離部８からの映像・音声のＴＳを復号してアナログ信号に変換し、映像・音声のアナログ信号を出力部１４に出力する。なお、ＨＤＭＩなどのデジタルシステムの場合は、アナログ信号に変換せずにデジタルのまま出力する。
【００４８】
出力部１４は、表示装置であるテレビのディスプレイ３２と接続されており、映像・音声処理部１０で復号された映像・音声のアナログ信号またはデジタル信号をテレビから出力させる。出力部１４は、本発明の表示手段に相当する。一方、番組を録画する場合は、映像・音声処理部１０は、信号分離部８からの映像・音声のＴＳを録画部２０に出力する。録画部２０は、映像・音声処理部１０からの映像・音声のＴＳを、録画・予約制御部１８からの制御に従って、ＨＤＤ（ハードディスク）やＤＶＤなどの記録媒体２２に録画する。録画部２０は、本発明の番組録画手段に相当する。
【００４９】
データ処理部１２は、信号分離部８からの番組情報をデコードして番組情報制御部１６に出力する。この番組情報は、チャンネル、放送日、放送開始時刻、放送時間、番組名、番組ジャンル、番組概要、番組を特定する番組識別子などの情報が含まれる。番組情報制御部１６は、データ処理部１２からの番組情報をメモリ２８に記憶する。番組情報制御部１６は、ユーザーからのＥＰＧ表示の指示を受け付けると、メモリ２８に記憶された番組情報に基づいてＥＰＧを作成し、このＥＰＧを出力部１４に渡す。出力部１４は、番組情報制御部１６からのＥＰＧをテレビのディスプレイ３２に表示出力する。なお、番組情報制御部１６で作成されたＥＰＧは、メモリ２８に記憶するようにしてもよい。
【００５０】
録画・予約制御部１８は、ユーザーからの録画予約の指示を受け付けると、録画予約対象番組の番組情報をメモリ２８から検索し、その番組情報からチャンネル、放送日、放送開始時刻、放送時間、および番組識別子を選択し、これらを録画予約情報としてメモリ２８に記憶し、録画予約処理を実行する。そして、録画・予約制御部１８は、録画予約した番組の録画開始時刻になると、録画部２０を制御して該当番組の録画処理を実行する。
【００５１】
操作制御部２４は、リモコン３４からの操作信号を受け付けてその操作内容を解析し、操作内容に応じて各部に指示を与える。例えば、操作内容がＥＰＧ表示である場合には、番組情報制御部１６にＥＰＧ表示の指示を行い、操作内容が録画予約である場合には、録画・予約制御部１８に録画予約の指示を行う。録画・予約制御部１８は、本発明のキーワード設定手段、優先度設定手段、録画番組選択手段、優先順位決定手段、録画画質設定手段、および更新手段に相当する。また、ユーザーからの録画予約およびキーワードの設定などを携帯電話などを用いて外部からＷＡＮ３０経由で行ってもよい。この場合には、外部からの情報は、通信部２６を介して録画・予約制御部１８に入力される。
【００５２】
（デジタル放送受信システムの構成）
次に、デジタル放送受信システムの構成について図２を参照して説明する。図２に示すように、番組録画装置１本体は、アンテナ２およびテレビに接続されており、アンテナ２から受信したデジタル放送の映像・音声信号を、リモコン３４などからの指示に従ってテレビのディスプレイ３２に出力する。なお、ＨＤＭＩおよびＤ端子を用いてのデジタル信号の接続も可能である。
【００５３】
（キーワードの設定方法）
次に、キーワードの設定方法について図３を参照して説明する。図３は、キーワードテーブルを示す図である。
【００５４】
まず、ユーザーは新規にキーワードを設定する。このキーワードは、ユーザーが任意に設定でき、例えば、番組のタイトル、番組内容、登場人物、ジャンル、放送時間帯、および放送局など何でもよい。ユーザーが新規にキーワードを設定すると、キーワード設定手段は、該キーワードおよび該キーワードを含むキーワード群のナンバーの設定を受け付ける。この際に、優先度設定手段は、該キーワードに個別優先度割合として１００％の設定を受け付ける。１つのキーワード群に含まれるキーワードの個別優先度割合の和は必ず１００％となる。すなわち、１つのキーワード群にキーワードが１つのみの場合は、図３（ｂ）に示すように、個別優先度割合は必ず１００％となる。
【００５５】
なお、ここで番組録画装置１の処理全体について簡単に説明する。まず、ユーザーはキーワードを設定する。次に録画番組選択手段は、ＥＰＧなどの番組ごとの番組情報と各キーワードとを照合することによって、録画対象の番組を複数選択する。なお、設定するキーワードは１つであっても複数であってもよい。複数のキーワードを設定した場合は、そのうちの一部のキーワードにヒットした番組も録画対象となる。次に、優先順位決定手段は、各キーワードの優先度に基づき複数の番組に対して録画の優先順位を決定する。最後に、番組録画手段は、この番組の優先順位に基づき録画する。なお、これらの処理については詳しくは後述する。
【００５６】
次に、ユーザーが同一のキーワード群に２つ目のキーワードを登録すると、上記優先度設定手段は、該キーワードの個別優先度割合の設定を受け付ける。この際に、ユーザーが２つ目のキーワードの個別優先度割合を設定しないと設定完了とならないようにしてもよいし、あるいは、２つ目以降のキーワードを設定する際に、既に設定されているキーワードのうち最も個別優先度割合が低いキーワードと同じ割合の個別優先度割合がとりあえず設定され、その後キーワード群に含まれるキーワードの個別優先度割合の和が１００％になるように調整するように設定してもよい。すなわち、最初に設定したキーワードに１００％の個別優先度割合が設定されているため、２つ目のキーワードを登録すると個別優先度割合はまず、最初に設定したキーワードと同じ１００％となる。このままだと１つのキーワード群に含まれるキーワードの個別優先度割合の和が２００％になってしまうため、この和を１００％にするためにこの２つのキーワードの個別優先度割合は各々５０％となる。さらに３番目のキーワードを登録するとキーワード各々の個別優先度割合は同様に３３％となるが、このままだと個別優先度割合の和が９９％となってしまうため、端数の１％を最初に設定されたキーワードに割り当てて３４％とする。
【００５７】
なお、１つのキーワード群にキーワードが複数登録されている場合には、ユーザーは個別優先度割合を任意に設定することができる。例えば、１つのキーワード群に含まれるキーワードが２つの場合に、一方を７０％、他方を３０％に設定することができる。このときに、３つ目のキーワードが登録されると、上記に説明した設定がされている場合には、３つ目のキーワードの個別優先度割合はとりあえず３０％となるが、このままだと個別優先度割合の和が１３０％になってしまうため、全てのキーワードの個別優先度割合を１、３で割る。このときに個別優先度割合の和が９９％となってしまうため、端数の１％を最初に設定されたキーワードに割り当てて５４％とし、残りの２つのキーワードの個別優先度割合は２３％となる。
【００５８】
個別優先度割合を任意に設定した場合における例を図３（ａ）および図３（ｃ）に示す。何れの図においても１つのキーワード群に含まれるキーワードの個別優先度割合の和は１００％となる。
【００５９】
本番組録画装置は、以上のように、ユーザーは新人の俳優などといった新規の名称、およびユーザーの好みにダイレクトに即した用語をキーワードとして設定することができ、かつ、上記キーワードごとに、録画する複数の番組の優先順位を決定する優先度を設定できる。したがって、上記録画対象となる複数の番組を、よりユーザーの詳細な好みに即した優先順位に基づいて録画することができる。
【００６０】
（キーワード組み合わせ別群優先度テーブル）
次に、キーワード組み合わせ別群優先度テーブルについて図４を参照して説明する。図４は、図３（ａ）に示したキーワード群におけるキーワード組み合わせ別群優先度テーブルを示す図である。
【００６１】
図３（ａ）に示したキーワード群においては、キーワード〔ＡＢＣ〕の個別優先度割合が６０％、〔ＤＥＦ〕の個別優先度割合が３０％、〔ＧＨＩ〕の個別優先度割合が１０％である。図４に示すキーワード組み合わせ別優先度テーブルは、図３（ａ）に示したキーワードの組み合わせ、それに対応するキーワード群ナンバー、およびそれに対応する群優先度を示している。群優先度は、ある番組におけるヒットしたキーワードの個別優先度割合の和である。本発明において、キーワード群が１つのみの場合は、この群優先度が最終的な録画優先度となる。すなわち、この場合には、群優先度が高い程優先的に録画される。
【００６２】
キーワード群ナンバーの最初の数字は、該キーワード群自体のナンバーを示している。このナンバーは登録したキーワードを含むキーワード群に、登録順に１から付けられる。また、キーワード群ナンバー１には３つのキーワードが設定されており、〔ＡＢＣ〕を１、〔ＤＥＦ〕を２、〔ＧＨＩ〕を３と数字を割り当てる。この数字がキーワード群ナンバーに繋げて示される。例えば、キーワード群ナンバーが１−１−３を示していれば、最初の〔１〕はキーワード群ナンバーを示しており、次の〔１〕はキーワード〔ＡＢＣ〕を含み、最後の〔３〕はキーワード〔ＧＨＩ〕を含むことを示している。なお、キーワード群に含まれる全てのキーワードを含む場合には、キーワード群ナンバーのみ（この場合は〔１〕）を示すものとする。
【００６３】
（キーワード群優先度テーブル）
次に、キーワード群優先度割合テーブルについて図５を参照して説明する。図５は、キーワード群優先度割合テーブルを示す図である。
【００６４】
ユーザーは、キーワード各々に対してだけでなく、キーワード群各々に対しても優先度を設定できる。この際に、上記キーワード設定手段は、キーワード群の設定を複数受け付け、上記優先度設定手段は、上記キーワード群ごとにユーザーによる優先度の設定を受け付ける。このキーワード群に設定された優先度を群優先度割合と呼び、群優先度割合が高い程、該キーワード群に含まれるキーワードにヒットした番組を優先的に選択できる可能性が高い。すなわち、キーワード群が複数ある場合には、最終的な録画優先度は、群優先度と群優先度割合とを乗算した値となる。これにより例えば、ニュース系の番組をドラマ系の番組より優先して選択することができる。
【００６５】
ユーザーが新規にキーワードを設定し、キーワード群が設定される際には、上記優先度設定手段は、該キーワード群の群優先度割合を１００％に設定して受け付ける。ユーザーはこの群優先度割合を、他のキーワード群の群優先度割合に関係なく独立して１〜１００％までの間で変更することができる。例えば、全ての群優先度割合を１００％に設定することもできる。仮に、群優先度割合が１００％のキーワード群に含まれる全てのキーワードにヒットした番組がある場合には、個別優先度割合の和である群優先度が１００％であり、かつ、群優先度割合も１００％であるため、録画優先度は１００％となる。
【００６６】
また、ユーザーは各キーワード群各々に、該キーワード群に含まれるキーワードにヒットした番組を録画する際の画質を設定することができ、録画画質設定手段は、この録画画質の設定を受け付ける。仮にこの録画装置が〔Ｌｅｖｅｌ１〕（最高画質）、〔Ｌｅｖｅｌ２〕（高画質）、〔Ｌｅｖｅｌ３〕（普通画質）、または〔Ｌｅｖｅｌ４〕（低画質）の４段階の画質が設定可能な場合、〔Ｌｅｖｅｌ１〕〜〔Ｌｅｖｅｌ４〕の何れか、〔Ａｕｔｏ〕または〔Ｌｅｖｅｌ１〕〜〔Ｌｅｖｅｌ４〕の複数の値をｏｒで設定することができる。例えば、図５に示すキーワード群３は、〔Ｌｅｖｅｌ２〕または〔Ｌｅｖｅｌ３〕に設定されている。なお、〔Ａｕｔｏ〕は他の設定画質の値とｏｒを取ることはできない。また、画質が〔Ａｕｔｏ〕に設定されている番組の画質は録画優先度に応じて、〔Ｌｅｖｅｌ１〕〜〔Ｌｅｖｅｌ４〕、〔Ｌｅｖｅｌ２〕〜〔Ｌｅｖｅｌ４〕、〔Ｌｅｖｅ３１〕〜〔Ｌｅｖｅｌ４〕、または〔Ｌｅｖｅｌ４〕の画質が設定される。また、最終的に録画される画質については、詳しくは後述する。これにより、ユーザーは、録画する番組各々に適した画質により該番組を録画することができる。
【００６７】
複数の画質が設定されているキーワード群のキーワードにヒットした番組が、複数の画質のうちのどの画質により録画されるかは、録画予約リストが出来上がった際の記録媒体２２の空き容量によって決まる。すなわち、最終的な録画優先度の高い番組から順に録画リストに登録され、まず、上記録画画質設定手段は、番組各々が画質の良い方で録画された場合に必要な容量を計算する。この容量が記録媒体２２の空き容量以下の場合には、そのままの画質、すなわち設定されている画質のうち良い方の画質で、上記番組録画手段は録画する。
【００６８】
一方、記録媒体２２の容量が足りない場合には、上記録画画質設定手段は、記録可能な録画リスト内の番組のうち、画質が複数設定されている番組であって、かつ最終的な録画優先度が低い番組から順に設定されている画質を下げて、録画に必要な容量を再計算する。なお、画質が１つしか設定されていないキーワード群のキーワードにヒットした番組の画質は変更しない。ここで、図５に示すように３つのキーワード群がある場合を考える。ここでは、説明を容易にするため、キーワード群ナンバー１、２、および３にヒットした番組の最終的な録画優先度（群優先度と群優先度割合とを乗算した値）は、各キーワード群に設定されている群優先度割合と等しいものとする。まず、上記録画画質設定手段は、録画優先度が一番低いキーワード群ナンバー２にヒットした番組に対して画質を下げることを試みる。しかしながら、キーワード群ナンバー２の画質は〔Ｌｅｖｅｌ４〕に固定されているため、下げることはできない。次に、上記録画画質設定手段は、次に録画優先度が低い番組であるキーワード群ナンバー３にヒットした番組の画質を〔Ｌｅｖｅｌ２〕から〔Ｌｅｖｅｌ３〕に下げる。それでも、記録媒体２２の容量が足りない場合には、最も録画優先度の高い、キーワード群ナンバー１にヒットした番組の画質を下げる。この際、〔Ａｕｔｏ〕に設定されているキーワード群ナンバー１の録画優先度は８１％以上（９０％）であるため、上記録画画質設定手段は、画質を〔Ｌｅｖｅｌ１〕から〔Ｌｅｖｅｌ４〕に１段階ずつ下げながらその都度記録媒体２２の容量を計算する。これを、番組が全て録画可能となるまで繰り返す。以上のことを換言すれば、ある番組の画質が１段階下げられた場合には、該番組の録画優先度よりも低い録画優先度の番組の画質は、該番組にヒットしたキーワードを含むキーワード群に設定されている範囲内の画質で最低になる。
【００６９】
なお、上述したように、録画優先度の低い番組から順に、常に最も低い画質まで下げながら記録媒体２２の容量を計算してもよいし、録画優先度の低い番組から順に画質を１段階のみずつ下げながら記録媒体２２の容量を計算してもよい。
【００７０】
もし、画質が複数選択されている全ての番組の設定画質を低い方に選択しても全ての番組が記録可能とならない場合には、上記録画画質設定手段は、最も録画優先度の低い番組を録画リストから外し、残っている全ての録画リストの番組を一旦最も良い設定画質に戻した上で、上記と同じ方法で全ての番組が録画可能になるまで個々の番組の画質調整をする。もし、全ての番組の設定画質を悪い方に選択しても全ての番組が記録可能とならない場合には、さらに次に録画優先度の低い番組を録画リストから外す。これを、最終的に録画リストに残された番組が全て録画可能となるまで繰り返す。なお、上記録画画質設定手段が、録画リストから外す番組は録画する前の番組のみ、すなわち一度録画した番組は消去しないように設定しても良いし、また、記録可能な容量が飽和した場合は録画済の番組であっても録画優先度が低い番組を消去するように設定しても良い。なお、一度録画した番組を、図示はしないが、大容量の記録部などに保存するようにしてもよい。
【００７１】
（キーワード群優先度テーブル）
次に、画質を〔Ａｕｔｏ〕に設定した場合における録画優先度と設定画質との関係について図６を参照して説明する。図６は、〔Ａｕｔｏ〕画質設定テーブルを示す図である。
【００７２】
図６は、画質が〔Ａｕｔｏ〕に設定されているキーワード群のキーワードにヒットした番組において、上記録画画質設定手段が、該番組のキーワード群の録画優先度が１００〜８１％の場合には画質を〔Ｌｅｖｅｌ１〕〜〔Ｌｅｖｅｌ４〕に設定し、８０〜５１％の場合には画質を〔Ｌｅｖｅｌ２〕〜〔Ｌｅｖｅｌ４〕に設定し、５０〜２１％の場合には画質を〔Ｌｅｖｅｌ３〕〜〔Ｌｅｖｅｌ４〕に設定し、２０％以下の場合には画質を〔Ｌｅｖｅｌ４〕に設定することを示している。このように設定することによって、録画優先度に即して番組の画質を決定することができる。すなわち、ユーザーにとってより重要度の高い番組を比較的良い画質によって録画することができる。なお、設定画質に対応する録画優先度の値はユーザーが任意に変更することができる。
【００７３】
また、〔Ｌｅｖｅｌ４〕の画質に対応する録画優先度を０％にすることにより、〔Ｌｅｖｅｌ４〕の画質では録画しないといった設定もできる。この場合には、〔Ａｕｔｏ〕に設定されているキーワード群のキーワードにヒットした番組の画質は、録画優先度に応じて〔Ｌｅｖｅｌ１〕〜〔Ｌｅｖｅｌ３〕、〔Ｌｅｖｅｌ２〕〜〔Ｌｅｖｅｌ３〕、または〔Ｌｅｖｅｌ３〕の何れかに設定される。なお、この場合には、〔Ｌｅｖｅｌ３〕の画質に対応する録画優先度の下限は１％となる。また、画質に対応する録画優先度は、設定画質の優劣に対して逆転させて設定することはできない。例えば、〔Ｌｅｖｅｌ３〕〜〔Ｌｅｖｅｌ４〕に対応する録画優先度を０％に設定した場合には、〔Ｌｅｖｅｌ４〕に対応する録画優先度は、必ず０％となる。
【００７４】
以上のことを図６を参照して説明する。図６に示す〔Ｌｅｖｅｌ３〕〜〔Ｌｅｖｅｌ４〕に対応する録画優先度を０％に設定すると、〔Ｌｅｖｅｌ４〕に対応する録画優先度も０％に設定される。これにより、画質〔Ｌｅｖｅｌ３〕および〔Ｌｅｖｅｌ４〕では録画されなくなる。そして、録画優先度１００〜８１％に対応する画質は、〔Ｌｅｖｅｌ１〕〜〔Ｌｅｖｅｌ２〕に設定される。また、次に録画優先度が低い番組に対応する画質は、〔Ｌｅｖｅｌ２〕に設定される。このときに、上述したように〔Ｌｅｖｅｌ３〕以下の画質で録画されることは無いため、〔Ｌｅｖｅｌ２〕に対応する録画優先度の下限は１％となる。すなわち、〔Ｌｅｖｅｌ２〕に対応する録画優先度は、８０〜１％となる。なお、この場合に、画質〔Ｌｅｖｅｌ１〕〜〔Ｌｅｖｅｌ２〕と〔Ｌｅｖｅｌ２〕とに対応する録画優先度は、ユーザーが変更してもよい。
【００７５】
また、上述した説明においては、画質が〔Ｌｅｖｅｌ１〕〜〔Ｌｅｖｅｌ４〕の４段階しか無い例を示したが、そもそも設定可能な画質が〔Ｌｅｖｅｌ１〕〜〔Ｌｅｖｅｌ１０〕まであり、そのうちの比較的画質の良い〔Ｌｅｖｅｌ１〕〜〔Ｌｅｖｅｌ４〕の画質のみを設定するようにしてもよい。この場合には、画質〔Ｌｅｖｅｌ１〕〜〔Ｌｅｖｅｌ４〕に対応する録画優先度をどのように設定したとしても、比較的画質の悪い〔Ｌｅｖｅｌ５〕〜〔Ｌｅｖｅｌ１０〕の画質により録画されることは無い。
【００７６】
（キーワード群ナンバー別録画優先度とその画質）
図７は、以上説明したことに従った、キーワード群ナンバー別録画優先度と設定画質を示す図である。
【００７７】
図７に示すキーワード群１の群優先度割合は、図５に示したように９０％である。図７に示すキーワード群ナンバーおよび群優先度は、図３（ａ）および図４に示したキーワード群ナンバー１と同様である。上述したように、キーワードにヒットした番組の最終的な録画優先度は、群優先度と群優先度割合とを乗算した値となる。また、録画優先度に応じて画質が設定される。録画優先度と設定される画質との対応関係は、図６に示したものを用いている。
【００７８】
（録画予約リスト）
図８は、録画予約リストを示す図である。図８は、ＥＰＧの番組情報を各キーワード群のキーワードによって検索した結果、ヒットした番組を録画優先度が高い順に並べた録画予約リストを示す図である。〔実行〕欄は、その番組の録画予約を実行する予定になっているか否かを示している。なお、録画優先度が等しい番組同士については、放送時間が早い番組を優先して録画する設定にしても良いし、該番組にヒットしたキーワードを設定した時刻が早い番組を優先して録画する設定にしても良い。
【００７９】
（ＥＰＧ更新時録画予約番組登録処理フローチャート）
次に、番組録画装置１の実際の処理について図９〜図１２を参照して説明する。まず、図９を参照して、ＥＰＧデータが更新された場合に行われる処理を説明する。図９は、ＥＰＧデータが更新された場合に行われる処理を示すフローチャートである。ＥＰＧデータは毎日１週間後のデータが新たに配信される。このため、１日に１回（例えば夜）この処理が実行されて、録画予約リストの見直しと設定画質の見直しとが行われる。
【００８０】
まず、上記録画番組選択手段は、ＥＰＧデータに新規の番組があるか否かを判定する。新規の番組が無い場合には、この処理を終了する。新規の番組がある場合には、新規の番組の中から１つの番組を選択し、該番組の番組情報を１つ取得する。上記録画番組選択手段は、その番組情報１つに対して、キーワード群を１つ参照して、番組情報とキーワード群のキーワードとを照合する。ここで、上記録画番組選択手段は、キーワード群数を変数にセットし、この変数の数だけ１つの番組に対して同様の処理をする。番組情報に該当するキーワードがキーワード群にない場合には、次のキーワード群を１つ参照する。番組情報に該当するキーワードが１つでもある場合には、上記優先順位決定手段は該番組の録画優先度を決定する。
【００８１】
次に該番組が、既に録画予約リストに登録されているか否かを、上記優先順位決定手段は判定する。登録されていない場合には、該番組を録画予約リストに登録する。同じ番組が既に登録されている場合には、既に登録されている同じ番組の録画優先度を調べて、既に登録されている番組の優先度が新規に検索した同じ番組の録画優先度より高いまたは等しい場合には、新規に検索した番組は録画予約リストに登録しない。反対に、既に登録されている番組の優先度が、新規に検索した番組の録画優先度より低い場合には、上記優先順位決定手段は、既に登録されている番組を削除して新規に検索した番組を、新規に検索した際の録画優先度で録画予約リストに登録する。
【００８２】
ここまでの処理が終了したら次のキーワード群を１つ参照して、同様の処理を行う。この処理を、１つの新規の番組について全てのキーワード群に対して行う。全てのキーワード群についての処理が終了したら、次の新規の番組１つについて同様の処理を行う。この処理を全ての新規の番組について行う。全ての新規の番組に対して処理を行ったら、この処理を終了する。
【００８３】
なお、ユーザーは、上記録画番組選択手段が、１つのキーワード群に複数のキーワードが設定されている場合に、該キーワード群に含まれるキーワードの複数にヒットした番組のみを選択する（すなわち、キーワード１つのみにヒットした番組は選択しない）ように設定してもよいし、１つのキーワード群に複数のキーワードが設定されている場合に、該キーワード群に含まれるキーワードの複数にヒットした番組と、該キーワードのうちの最も優先度の低いキーワード以外のキーワード１つのみにヒットした番組とを選択するように設定してもよいし、１つのキーワード群に複数のキーワードが設定されている場合に、該キーワード群に含まれるキーワードの複数にヒットした番組と、該キーワード群に設定されているキーワードのうち最も優先度の高いキーワード１つのみにヒットした番組とを選択するように設定してもよい。
【００８４】
（キーワード群新規登録時録画予約番組登録処理フローチャート）
次に、図１０を参照して、ユーザーがキーワード群を新規に登録した際の処理を説明する。図１０は、キーワード群を新規に登録した際の処理を示すフローチャートである。
【００８５】
ユーザーがキーワード群を新規に登録すると、まず、上記録画番組選択手段は、該キーワード群を１つ参照する。次に、番組情報確認可能な番組数を判定し、そのうちの１つの番組情報を取得する。なお、番組情報確認可能な番組数は、すなわちＥＰＧデータに登録されている１週間分の全番組である。次に、上記録画番組選択手段は、その番組１つに対して、新規に登録されたキーワード群を参照して、番組情報とキーワード群のキーワードとを照合する。番組情報に該当するキーワードが１つでもある場合には図９において説明したのと同様の処理を行う。この処理の説明は、図９に説明した処理と同様のため省略する。
【００８６】
番組情報に該当するキーワードがキーワード群にない場合には、上記録画番組選択手段は、次の番組情報を１つ参照する。この処理を全ての番組情報確認可能な番組に対して行う。全ての番組に対して処理を行ったら、この処理を終了する。
【００８７】
（キーワード変更処理フローチャート）
次に、図１１を参照して、ユーザーがキーワード群を変更した際の処理を説明する。図１１は、キーワード群を変更した際の処理を示すフローチャートである。
【００８８】
ユーザーがキーワード群を変更すると、まず、上記録画番組選択手段は、変更される前のキーワード群により検索された番組があるか否かを判定する。変更される前のキーワード群により検索された番組がある場合には、上記録画番組選択手段は、該当する番組を全て削除する。変更される前のキーワード群により検索された番組がない場合には、そのまま次の処理に進む。
【００８９】
次に、番組録画装置１は、変更後のキーワード群により、図１０に示したキーワード群新規登録時録画予約番組登録処理と同様の処理をする。
【００９０】
（録画予約リストへの予約登録処理フローチャート）
次に、図１２を参照して、画質の設定後の既存の録画予約リストに、ユーザーが新規に番組を追加する処理を説明する。図１２は、既存の録画予約リストに新規に番組を追加する処理を示すフローチャートである。
【００９１】
ユーザーが新規に録画したい番組を追加すると、上記録画番組選択手段は該番組の録画優先度を１００％として録画予約リストに追加する。この際に、番組録画装置１が、該番組を含めた録画優先度１００％の番組全てを録画可能な場合、すなわち録画優先度１００％の番組全てを録画しても記録媒体２２の容量が足りている場合には該番組は録画される。また、録画優先度１００％の番組全てを録画するだけの容量が記録媒体２２にない場合には、放送時間帯が早い番組を優先して録画するように設定してもよいし、あるいは該番組にヒットしたキーワードを含むキーワード群の設定が早い番組を優先して録画するように設定してもよい。同様に、録画優先度が１００％以外の番組同士であっても、録画優先度が等しい番組同士であれば、このような設定に従って録画される番組が決定される。次に、追加された番組が設定されている最も高画質において録画可能か否か、上記録画画質設定手段は記録媒体２２の容量を計算する。録画リストの全ての番組が録画可能な場合には、上記優先順位決定手段は全ての番組を録画予約する。録画リストの全ての番組を録画するための記録媒体２２の容量が足りない場合には、図５を参照して説明したのと同様に、画質が複数設定されている番組であって、かつ最終的な録画優先度が低い番組から順に設定されている画質を下げて、録画に必要な容量を再計算する。もし、画質が複数選択されている全ての番組の設定画質を低い方に選択しても全ての番組が記録可能とならない場合には、最も録画優先度の低い番組を録画リストから外し、すなわち実行欄を〔×〕にし、残っている全ての録画リストの番組を一旦最も良い設定画質に戻した上で、全ての番組が録画可能になるまで個々の番組の画質調整をする。
【００９２】
次に、ユーザーが録画予約リスト内の番組を削除する処理を説明する。この場合には、上記録画画質設定手段は、画質が複数設定されている番組であって、かつ最終的な録画優先度が高い番組から順に設定されている画質を上げて、録画に必要な容量を再計算する。これを繰り返し、記録媒体２２の容量が許す範囲で録画優先度が高い番組を優先して、全ての番組が出来る限り高画質で録画できるように個々の番組の画質調整をする。
【００９３】
（設定画質表示画面）
次に、設定画質表示画面について、図１３を参照して、説明する。図１３は、キーワード群ナンバー別の録画優先度に対する設定画質を示すグラフである。このグラフは、番組録画装置１の表示手段によって表示される。このグラフにより、ユーザーは、上記キーワード群ごとの優先度と設定されている画質とを一目で把握することができる。
【００９４】
図中の数値は、キーワード群ナンバーを示す。キーワード群ナンバー〔１〕が示す二重の四角はフォーカスが当たっていることを示す。キーワード群ナンバー〔１〕の位置は、録画優先度が９０％であり、設定画質が〔Ｌｅｖｅｌ１〕であることを示している。同様に、キーワード群ナンバー〔２〕は、録画優先度が５０％であり、設定画質が〔Ｌｅｖｅｌ４〕であることを示している。キーワード群ナンバー〔３〕は、録画優先度が７０％であり、設定画質が〔Ｌｅｖｅｌ２〕または〔Ｌｅｖｅｌ３〕であることを示している。キーワード群ナンバー〔４〕は、録画優先度が１０％であり、設定画質が〔Ｌｅｖｅｌ１〕、〔Ｌｅｖｅｌ２〕、〔Ｌｅｖｅｌ３〕、または〔Ｌｅｖｅｌ４〕であることを示している。キーワード群ナンバー〔５〕は、録画優先度が４０％であり、設定画質が〔Ｌｅｖｅｌ１〕または〔Ｌｅｖｅｌ３〕であることを示している。キーワード群ナンバー〔６〕は、録画優先度が１００％であり、設定画質が〔Ｌｅｖｅｌ３〕または〔Ｌｅｖｅｌ４〕であることを示している。
【００９５】
なお、キーワード群ナンバー〔３〕は、初期設定では設定画質が〔Ｌｅｖｅｌ２〕であるが、記録媒体２２の空き容量次第で画質を低下させる必要が生じた場合には〔Ｌｅｖｅｌ３〕での録画も可能であることを示している。キーワード群ナンバー〔４〕、〔５〕および〔６〕も同様に、記録媒体２２の空き容量次第で画質を変更可能であることを示している。
【００９６】
また、図中の点線は、設定画質が〔Ａｕｔｏ〕に設定されている場合における、録画優先度に対応して取りうる画質のうちの最も良い画質を示している。なお、キーワード群各々の設定画質が〔Ａｕｔｏ〕であるか否かを示す印を設定してもよい。
【００９７】
（詳細設定画質表示画面）
次に、キーワード群１の詳細設定画質表示画面について、図１４を参照して説明する。図１４は、図１３に示したキーワード群１における、各キーワード群ナンバー別の録画優先度に対する設定画質を示すグラフである。図中の黒い四角は、キーワード群のうちの２つまたは３つのキーワードにヒットした番組の録画優先度およびそのときの設定画質を示している。また、図中の白い四角は、キーワード１つのみにヒットした番組の録画優先度およびそのときの設定画質を示している。図中の点線は、設定画質が〔Ａｕｔｏ〕に設定されている場合における、録画優先度に対応して取りうる画質のうちの最も良い画質を示している。なお、キーワードが４つ以上の場合には、表示方法を随時変更してもよい。
【００９８】
図中の黒い四角および白い四角をペンなどを用いて操作可能とし、例えば、ユーザーがキーワード群ナンバー〔１〕を録画優先度が低い方に移動させると、それに対応して他のキーワード群ナンバーの録画優先度も設定画質が〔Ａｕｔｏ〕に設定されている図中の点線の範囲内において録画優先度が下がるようにしてもよい。また、ユーザーが同様の操作により録画画質を変更してもよい。すなわちこの場合には、上記優先順位決定手段により決定された録画優先度、および上記録画画質設定手段により決定された録画画質を無視して、ユーザーがこの画面を用いて手動により録画優先度および録画画質を設定できる。また、番組録画装置１の更新手段によって、この情報は更新される。これにより例えば、ユーザーは、３つのキーワードのうちの１つまたは２つにしかヒットしなかった番組を録画しないように設定してもよい。
【００９９】
次に、詳細設定画質表示画面の他の例を図１５に示す。図１５は、あるキーワード群〔９〕における、各キーワード群ナンバー別の録画優先度に対する設定画質を示すグラフである。該キーワード群〔９〕は、画質が〔Ｌｅｖｅｌ２〕または〔Ｌｅｖｅｌ３〕に設定されていることが分かる。詳細設定画質表示画面により、キーワード群〔９〕における各キーワード群ナンバー別の録画優先度と、設定画質とが一目で把握することができる。
【０１００】
（プログラムおよび記憶媒体）
最後に、番組録画装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１０１】
すなわち番組録画装置１は、各機能を実現する制御プログラムのプログラムコード（実行形式プログラム、中間コードプログラム、ソースプログラム）をコンピュータで読み取り可能に記録していればよい。番組録画装置１（またはＣＰＵやＭＰＵ）が、供給された記録媒体に記録されているプログラムコードを読み出し、実行すればよい。
【０１０２】
プログラムコードを番組録画装置１に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１０３】
また番組録画装置１は、通信ネットワークと接続可能に構成しても、本発明の目的を達成できる。この場合、上記のプログラムコードを、通信ネットワークを介して番組録画装置１に供給する。この通信ネットワークは、番組録画装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０１０４】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１０５】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０６】
本発明は、例えば、以下のように表現することもできる。
【０１０７】
１．ユーザーが１つの検索に対して複数のキーワードを設定可能で、個々のキーワードには優先度の設定が可能で、その１つの検索のための複数のキーワードをキーワード群とし、そのキーワード群に対しても優先度の設定が可能であり、ＥＰＧから検索キーワードを元に番組検索を行い、キーワード群の中の１つ、もしくは複数のキーワードとヒットした場合、実際にヒットしたキーワードの優先度の合計割合に対する、それらのキーワードが含まれているキーワード群に設定された優先度割合を、ヒットした番組の録画優先度として設定する事が可能な番組記録装置。
【０１０８】
２．キーワード群には１つもしくは複数のキーワードが含まれ、１つのキーワード群に含まれる各キーワードに割り当てられる優先度の合計は常に一定（たとえば１００％）である。
【０１０９】
３．検索キーワードに設定可能な優先度は１％〜１００％の範囲である。
【０１１０】
４．キーワード群に設定可能な優先度は１％〜１００％の範囲である。
【０１１１】
５．録画優先度に対応する録画画質の設定が複数の画質の設定に跨って設定可能である。
【０１１２】
６．キーワード群に対する設定画質がＡｕｔｏの際は、そのキーワード群の一部のキーワードの組み合わせの画質もＡｕｔｏとする。
【０１１３】
７．キーワード群に対する設定画質が特定のレベルもしくは複数の特定のレベルにまたがる設定の際は、そのキーワード群の一部のキーワードの組み合わせの設定画質もキーワード群に対する画質設定と同一とする。
【０１１４】
８．各キーワード群の録画優先度と設定されている画質をグラフ形式で表示する機能を持つ。
【０１１５】
９．上記において録画優先度及び画質の変更が行われた際に、キーワード群テーブルの録画優先度及び画質の設定を操作に従って自動的に更新する。
【０１１６】
１０．複数のキーワードから構成されるキーワード群において、その中の唯一１つのキーワードにのみヒットした番組は選択しない。
【０１１７】
１１．上記における唯一１つのキーワードはキーワード群の中で一番優先度が低いキーワードである場合に限る。
【０１１８】
１２．上記における唯一１つのキーワードがキーワード群の中で一番優先度が高いキーワードである場合にのみ選択する。
【０１１９】
１３．これらのプログラム。
【０１２０】
１４．上記プログラムを記録した記録媒体。
【産業上の利用可能性】
【０１２１】
本発明の番組録画装置は、複数の番組の中からユーザーの好みに即して優先順位を設定して録画する番組録画装置一般において広く適用できる。
【符号の説明】
【０１２２】
１      番組録画装置
１４    出力部（表示手段）
１６    番組情報制御部
１８    録画・予約制御部（キーワード設定手段、優先度設定手段、録画番組選択手段、優先順位決定手段、録画画質設定手段、更新手段）
２０    録画部（番組録画手段）
２２    記録媒体
２４    操作制御部
２６    通信部
２８    メモリ
【図１】
2010206305.tif 000003
【図２】
2010206305.tif 000004
【図３】
2010206305.tif 000005
【図４】
2010206305.tif 000006
【図５】
2010206305.tif 000007
【図６】
2010206305.tif 000008
【図７】
2010206305.tif 000009
【図８】
2010206305.tif 000010
【図９】
2010206305.tif 000011
【図１０】
2010206305.tif 000012
【図１１】
2010206305.tif 000013
【図１２】
2010206305.tif 000014
【図１３】
2010206305.tif 000015
【図１４】
2010206305.tif 000016
【図１５】
2010206305.tif 000017